(57)【要約】【課題】  利用者の知人が何時に近くに居たのかを記録し得る移動体通信端末を提供することである。【解決手段】  他の移動体通信端末と通信を行う移動体通信端末であって、特定情報受信手段及び記憶手段を具備している。特定情報受信手段は、他の移動体通信端末との間で近距離通信を行うことにより、該他の移動体通信端末から、当該他の移動体通信端末又はその利用者を特定するための特定情報を受信する。記憶手段は、上記特定情報を記憶可能なものであって、特定情報受信手段により受信された特定情報が記憶されているときに、所定時刻を示す時刻データを該特定情報に関連づけて記憶する。上記時刻データは、上記特定情報が特定情報受信手段により受信された時刻、又は、上記時刻データが記憶手段に記憶される時刻を示す。【選択図】  図１
2006135715.tif 000002
【特許請求の範囲】
【請求項１】
他の移動体通信端末と通信を行う移動体通信端末であって、
当該他の移動体通信端末又はこの利用者を特定するための特定情報を記憶可能な記憶手段と、
上記他の移動体通信端末との間で近距離通信を行うことにより、該他の移動体通信端末から上記特定情報を受信可能な特定情報受信手段と、
を具備し、
上記記憶手段は、該特定情報受信手段により受信された特定情報が記憶されているときに、所定時刻を示す時刻データを該特定情報に関連づけて記憶し、
上記時刻データは、上記特定情報が上記特定情報受信手段により受信された時刻、又は、上記時刻データが上記記憶手段に記憶される時刻を示す、ことを特徴とする移動体通信端末。
【請求項２】
請求項１に記載の移動体通信端末において、
上記記憶手段は、上記特定情報受信手段が上記特定情報を受信した後に、上記他の移動体通信端末が所定範囲外へ移動したときに、上記時刻データに代えて又は該時刻データとともに、該他の移動体通信端末が所定範囲外へ移動した時刻を示す時刻データを、該特定情報に関連づけて記憶することを特徴とする移動体通信端末。
【請求項３】
請求項２に記載の移動体通信端末において、
上記所定範囲は、上記他の移動体通信端末との間で上記近距離通信を行うことが可能な範囲であることを特徴とする移動体通信端末。
【請求項４】
請求項１から請求項３までのいずれかに記載の移動体通信端末において、
上記近距離通信を行うことにより応答要求を上記他の移動体通信端末に向けて間欠的に送信する応答要求送信手段と、
該他の移動体通信端末から送信される該応答要求に対する応答を該近距離通信を行うことにより受信する応答受信手段と、
該応答受信手段が該応答を受信したら、該他の移動体通信端末に向けて、上記特定情報を取得するための特定情報取得要求を該近距離通信を行うことにより送信する取得要求送信手段とを有することを特徴とする移動体通信端末。
【請求項５】
請求項１から請求項３までのいずれかに記載の移動体通信端末において、
上記他の移動体通信端末から送信される応答要求を上記近距離通信を行うことにより受信する応答要求受信手段と、
該応答要求に対する応答を該近距離通信を行うことにより該他の移動体通信端末に向けて送信する応答送信手段とを有することを特徴とする移動体通信端末。
【請求項６】
請求項１から請求項５までのいずれかに記載の移動体通信端末において、
上記時刻データとともに、これに関連づけられた上記特定情報を利用者に報知する情報報知手段を有することを特徴とする移動体通信端末。
【請求項７】
請求項１から請求項５までのいずれかに記載の移動体通信端末において、
上記記憶手段は、上記他の移動体通信端末又はこれを利用する利用者に関連する上記特定情報以外の関連情報を、該特定情報に関連づけた状態で記憶可能なものであり、
上記時刻データとともに、これに対応する特定情報に関連付けられた該関連情報を利用者に報知する情報報知手段を有することを特徴とする移動体通信端末。
【請求項８】
請求項１から請求項７までのいずれかに記載の移動体通信端末において、
録音手段を有しており、
上記記憶手段は、上記特定情報受信手段が上記特定情報を受信した後の音を該録音手段により録音して得た音データも、該特定情報に関連づけて記憶することを特徴とする移動体通信端末。
【請求項９】
請求項１から請求項８までのいずれかに記載の移動体通信端末において、
当該移動体通信端末の位置を検知するための位置検知手段を有しており、
上記記憶手段は、該位置検知手段が検知した位置データも、上記特定情報に関連づけて記憶することを特徴とする移動体通信端末。
【発明の詳細な説明】
【技術分野】
【０００１】
本発明は、他の移動体通信端末と通信を行う移動体通信端末に関するものである。
【背景技術】
【０００２】
特許文献１には、ある利用者の携帯電話機の近くにその知人の携帯電話機が存在することを検知したら、その利用者にその旨を告知する出会い・連絡支援システムが開示されている。このシステムでは、一方の携帯電話機（知人の携帯電話機）が自己の近傍のエリアに向けて、その携帯電話機の電話番号を含むキーデータ（特徴情報）を無線で送信する。このキーデータを他方の携帯電話機（利用者の携帯電話機）が受信すると、その携帯電話機は、そのキーデータが自己のメモリに記憶されているか否かのマッチング処理を行う。そして、他方の携帯電話機は、受信したキーデータが自己のメモリに記憶されていると判断したら、近くに知人が居る旨の告知処理を行う。このシステムによれば、利用者は自分の知人が偶然近くに居る場合にこれを知ることができるので、知人が近くに居ることに気づかずに通り過ぎてしまうような事態の発生を防止できる。
【０００３】
【特許文献１】特開２０００−１６７２３３号公報
【発明の開示】
【発明が解決しようとする課題】
【０００４】
ところが、上記特許文献１のシステムに用いられる携帯電話機は、その利用者の知人が何時に近くに居たのかを記憶し得る機能を備えていなかった。そのため、このような機能を利用したアプリケーションやサービスを提供することができなかった。具体的には、例えば、上記告知を受けた利用者が知人に会い又は会わずにその知人から離れた後、しばらくしてから、その知人が近くに居た時刻をその利用者が確認するためのアプリケーションやサービスを提供することができなかった。
なお、以上の説明は、携帯電話機に限らず、近距離通信により他の移動体通信端末とデータ通信可能な移動体通信端末においても同様である。
【０００５】
本発明は、上記背景に鑑みなされたものであり、その目的とするところは、利用者の知人が何時に近くに居たのかを記録し得る移動体通信端末を提供することである。
【課題を解決するための手段】
【０００６】
上記目的を達成するために、請求項１の発明は、他の移動体通信端末と通信を行う移動体通信端末であって、当該他の移動体通信端末又はこの利用者を特定するための特定情報を記憶可能な記憶手段と、上記他の移動体通信端末との間で近距離通信を行うことにより、該他の移動体通信端末から上記特定情報を受信可能な特定情報受信手段と、を具備し、上記記憶手段は、該特定情報受信手段により受信された特定情報が記憶されているときに、所定時刻を示す時刻データを該特定情報に関連づけて記憶し、上記時刻データは、上記特定情報が上記特定情報受信手段により受信された時刻、又は、上記時刻データが上記記憶手段に記憶される時刻を示す、ことを特徴とするものである。
また、請求項２の発明は、請求項１に記載の移動体通信端末において、上記記憶手段は、上記特定情報受信手段が上記特定情報を受信した後に、上記他の移動体通信端末が所定範囲外へ移動したときに、上記時刻データに代えて又は該時刻データとともに、該他の移動体通信端末が所定範囲外へ移動した時刻を示す時刻データを、該特定情報に関連づけて記憶することを特徴とするものである。
また、請求項３の発明は、請求項２に記載の移動体通信端末において、上記所定範囲は、上記他の移動体通信端末との間で上記近距離通信を行うことが可能な範囲であることを特徴とするものである。
また、請求項４の発明は、請求項１から請求項３までのいずれかに記載の移動体通信端末において、上記近距離通信を行うことにより応答要求を上記他の移動体通信端末に向けて間欠的に送信する応答要求送信手段と、該他の移動体通信端末から送信される該応答要求に対する応答を該近距離通信を行うことにより受信する応答受信手段と、該応答受信手段が該応答を受信したら、該他の移動体通信端末に向けて、上記特定情報を取得するための特定情報取得要求を該近距離通信を行うことにより送信する取得要求送信手段とを有することを特徴とするものである。
また、請求項５の発明は、請求項１から請求項３までのいずれかに記載の移動体通信端末において、上記他の移動体通信端末から送信される応答要求を上記近距離通信を行うことにより受信する応答要求受信手段と、該応答要求に対する応答を該近距離通信を行うことにより該他の移動体通信端末に向けて送信する応答送信手段とを有することを特徴とするものである。
また、請求項６の発明は、請求項１から請求項５までのいずれかに記載の移動体通信端末において、上記時刻データとともに、これに関連づけられた上記特定情報を利用者に報知する情報報知手段を有することを特徴とするものである。
また、請求項７の発明は、請求項１から請求項５までのいずれかに記載の移動体通信端末において、上記記憶手段は、上記他の移動体通信端末又はこれを利用する利用者に関連する上記特定情報以外の関連情報を、該特定情報に関連づけた状態で記憶可能なものであり、上記時刻データとともに、これに対応する特定情報に関連付けられた該関連情報を利用者に報知する情報報知手段を有することを特徴とするものである。
また、請求項８の発明は、請求項１から請求項７までのいずれかに記載の移動体通信端末において、録音手段を有しており、上記記憶手段は、上記特定情報受信手段が上記特定情報を受信した後の音を該録音手段により録音して得た音データも、該特定情報に関連づけて記憶することを特徴とするものである。
また、請求項９の発明は、請求項１から請求項８までのいずれかに記載の移動体通信端末において、当該移動体通信端末の位置を検知するための位置検知手段を有しており、上記記憶手段は、該位置検知手段が検知した位置データも、上記特定情報に関連づけて記憶することを特徴とするものである。
【０００７】
請求項１の移動体通信端末においては、他の移動体通信端末から送信されてくる特定情報を近距離通信を行うことにより受信した場合、その特定情報が自己の記憶手段に記憶されているときには、その特定情報を受信した時刻又はその特定情報を保存する時刻を示す時刻データが、その特定情報に関連づけられて記憶手段に記憶される。よって、本移動体通信端末では、本移動体通信端末の利用者の知人又はその知人の移動体通信端末に係る特定情報が記憶されていれば、近距離通信を行うことにより受信した特定情報の送信元が本移動体通信端末の利用者の知人が使用する移動体通信端末であると推定することができる。したがって、知人の移動体通信端末が本移動体通信端末の近傍に近づいた時刻、具体的には少なくとも近距離通信手段の通信可能範囲内まで近づいた時刻のデータを記憶手段に記憶することが可能となる。
【０００８】
また、請求項２の移動体通信端末においては、請求項１の移動体通信端末と同様に、特定情報を受信した場合、その特定情報が自己の記憶手段に記憶されているときには、当該他の移動体通信端末が所定範囲外へ移動したときに、その時刻を示す時刻データが、その特定情報に関連づけて記憶手段に記憶される。この時刻データは、本移動体通信端末の利用者の知人又はその知人の移動体通信端末に係る特定情報が上記記憶手段に記憶されている場合には、その知人の移動体通信端末が本移動体通信端末の近傍から離れた時刻を示すものとなる。したがって、本移動体通信端末によれば、知人が近傍から離れた時刻を示す時刻データを記憶手段に記憶することが可能になる。
【０００９】
なお、上記「移動体通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division Synchronous Code Division Multiple Access）方式の一つであるＴＤ−ＳＣＤＭＡ（ＭＣ：Multi Carrier）方式の携帯電話機、ＰＨＳ（Personal Handyphone System）、自動車電話機等の通話機能を有する電話機が挙げられる。また、この「移動体通信端末」としては、上記電話機のほか、通話機能を有するＰＤＡ（Personal Digital Assistance）等も挙げられる。
また、上記移動体通信端末における制御や情報処理は、その移動体通信端末に設けられたコンピュータで所定のプログラムを実行することによって実現することもできる。このコンピュータで用いるプログラムの受け渡しは、デジタル情報としてプログラムを記録したＦＤ，ＣＤ−ＲＯＭ等の記録媒体を用いて行ってもいいし、コンピュータネットワーク等の通信ネットワークを用いて行なってもよい。
【発明の効果】
【００１０】
以上、請求項１乃至９の発明によれば、利用者の知人が何時ごろに近くに居たのかを記録し得る移動体通信端末を提供することが可能となるという優れた効果が奏される。
これにより、利用者の知人が近くに居た時刻を示す時刻データを利用した、今までにない新規なアプリケーションやサービスの提供も可能になる。
【発明を実施するための最良の形態】
【００１１】
以下、本発明を、移動体通信端末としての携帯電話機に適用した一実施形態について説明する。
図２は、本実施形態に係る携帯電話機１０のハードウェア構成の一例を示すブロック図である。
この携帯電話機１０は、制御部１１１、内部メモリ１１２、無線通信部１１３及びアンテナ１１４を備えている。また、制御部１１１には、音処理部１１５を介して音入力手段としてのマイク１１６及び音出力手段としてのスピーカ１１７が接続され、画像処理部１１８を介して表示部１１９が接続され、更にキー操作部１２０が接続されている。また、この携帯電話機１０は、計時手段としての時計部１２５と、ＧＰＳ受信部１３０及びそのアンテナ１３１と、近距離用無線通信部１４０及びそのアンテナ１４１とを備えている。
【００１２】
上記制御部１１１は、例えばＣＰＵ、キャッシュメモリ、システムバス等で構成され、所定の制御プログラムを実行することにより内部メモリ１１２や無線通信部１１３等の各部との間でデータの送受信を行ったり各部を制御したりする。
上記内部メモリ１１２は、例えばＲＡＭやＲＯＭなどの半導体メモリで構成され、制御部１１１で実行する制御プログラムや各種データを記憶するものである。
上記無線通信部１１３は、制御部１１１で制御され、アンテナ１１４を介して、所定の通信方式により携帯電話通信網（通信ネットワーク）の基地局との間で無線通信を行うものである。この無線通信により、特定の携帯電話機等との間で音声電話通信を行ったり、電子メールの送受信などを行ったりすることができる。
上記音処理部１１５は、マイク１１６から入力された音信号を所定方式で符号化して制御部１１１に送る。また、この音処理部１１５は、無線通信部１１３で受信した音信号を復号化してスピーカ１１７から出力する。
上記画像処理部１１８は、無線通信部１１３で受信した画像データや、内部メモリ１１２に記憶されているアイコンやメニュー等の画像データを処理し、液晶ディスプレイ（ＬＣＤ）等からなる表示部１１９に表示させる。
上記キー操作部１２０は、データ入力キー（テンキー、＊キー、＃キー）、通話開始キー、終話キー、スクロールキー、多機能キー等を備え、電話の発信や着信のほか、表示部１１９に表示される情報のスクロールや選択等に用いる。
上記時計部１２５は、クロック回路等で構成され、正確な日時を計数し、日付や時刻のデータを出力する。この時計部１２５から出力される所定日時の日時データは、制御部１１１により後述する遭遇履歴テーブルに保存される。なお、上記時計部１２５は、日付データと時刻データとを含む日時データを出力するものであるが、時刻データのみを出力するものであってもよい。
【００１３】
上記ＧＰＳ受信部１３０は、地球の周りに配置されている複数のＧＰＳ用の人工衛星（以下、「ＧＰＳ衛星」という。）から電波を受信し、その受信結果に基づいて携帯電話機１０が位置する緯度、経度及び高度のデータを算出する。ＧＰＳ受信部１３０は、例えば、電波の受信信号から目的の周波数成分を抽出するフィルター部、所定の周波数成分の受信信号からＧＰＳ信号を抽出する復調回路部、信号解読に用いるプログラムやコードデータを記憶した記憶部、各部を制御するとともにＧＰＳ信号を解読して位置情報や精度情報を求める制御・演算処理部等により構成される。ＧＰＳ受信部１３０では、携帯電話機の位置情報（緯度、経度、高度）のデータを算出し、これを制御部１１１に出力する。
なお、本実施形態では、ＧＰＳの位置測定法として、一台のＧＰＳ受信機（携帯電話機１０）だけで独立して位置を求める「単独測位」と呼ばれる方法を採用しているが、他の方法であってもよい。例えば、測定精度をさらに高めるために、測定点とは別の位置にある外部受信装置で補正値を計算してそのデータを基に実際の測定値を補正する方法であってもよい。この補正法は、単独測位に対して「相対測位（Ｄ−ＧＰＳ）」などと呼ばれている。具体的な補正の方法としては、ＧＰＳ衛星からの搬送波の位相を求めるなど様々な方法がある。「単独測位」の精度は１０［ｍ］前後であるが、「相対測位（Ｄ−ＧＰＳ）」による補正をすれば、最高では１［ｃｍ］程度の精度まで高めることができる。
【００１４】
上記近距離用無線通信部１４０は、携帯電話機１０に着脱可能に設けたり、内部に組み込んだりすることができるＩＣカードやＩＣチップ等を用いて構成され、この近距離用無線通信部１４０と同様の近距離用無線通信部を備えた他の携帯電話機との間で、所定の通信方式を用いた近距離無線通信を行う。この通信方式としては各種の方式を採用することできる。例えば、Ｂｌｕｅｔｏｏｔｈ（登録商標。以下同様。）等の電波を用いた近距離無線通信方式や、赤外線を用いた通信方式等を採用することができる。本実施形態では、Ｂｌｕｅｔｏｏｔｈの電波を用いた近距離無線通信方式を採用する。
【００１５】
図３は、本実施形態に係る携帯電話機１０の主要部を構成する各手段の関係を示す機能ブロック図である。
携帯電話機１０は、図２に示すハードウェア上で所定のプログラムを実行することにより、記憶手段１０１、位置検知手段１０２、近距離通信手段１０３、入力手段１０４、制御手段１０５、情報報知手段として機能する表示手段１０６、録音手段１０７等の各機能を実現している。
【００１６】
上記記憶手段１０１は、内部メモリ１１２等で構成され、知人がもつ携帯電話機の電話番号データ（特定情報）や、その知人に関連するその他の関連情報が登録されるアドレス帳テーブルが記憶される。この関連情報としては、知人の名前データ、知人が使用する他の電話番号データやメールアドレスデータなどが挙げられる。また、上記記憶手段１０１は、後述する遭遇履歴テーブルも記憶している。
上記位置検知手段１０２は、制御部１１１、時計部１２５、ＧＰＳ受信部１３０、アンテナ１３１等で構成され、ＧＰＳ衛星から電波を受信し、その電波の受信結果に基づいてＧＰＳ位置情報を取得する。
上記近距離通信手段１０３は、制御部１１１、近距離用無線通信部１４０、アンテナ１４１等で構成され、他の携帯電話機との間で近距離通信を行う。
上記入力手段１０４は、キー操作部１２０等で構成され、本携帯電話機１０の各種キーに対してユーザーがキー操作を行うことにより、その操作信号を制御手段１０５へ出力する。
上記制御手段１０５は、制御部１１１等で構成され、上記記憶手段１０１内のアドレス帳テーブルに知人の関連情報を新たに登録すべくユーザーがキー操作部１２０に対して所定のキー操作を行うと、その操作信号に基づいて入力された知人の関連情報をアドレス帳テーブルに登録する処理を行う。また、上記制御手段１０５は、上記近距離通信手段１０３を介して送信されてくる電話番号データを受信する特定情報受信手段としての機能も有している。また、上記制御手段１０５は、上記近距離通信手段１０３を介して応答要求を間欠的に送信する応答要求送信手段、この応答要求に対する応答を近距離通信手段１０３を介して受信する応答受信手段、及び、応答を受信したらこの応答元の電話番号データを取得するための特定情報取得要求を近距離通信手段１０３を介して送信する取得要求送信手段としての機能も有している。
上記表示手段１０６は、画像処理部１１８、表示部１１９等で構成され、制御手段１０５から画像表示命令を受けることで、制御手段１０５から送られてくる画像データを液晶ディスプレイに表示する処理を行う。
上記録音手段１０７は、音処理部１１５、マイク１１６等で構成され、制御手段１０５から録音命令を受けることで、マイク１１６から入力される音を所定方式で符号化して制御手段１０５に送る。
【００１７】
〔動作例１〕
次に、本発明の特徴部分である遭遇履歴保存処理の一例（以下、本例を「動作例１」という。）について説明する。
本動作例１では、何時に誰と出会ったかを、一日の終わりにユーザーが知るための遭遇履歴リストを表示させるリスト表示処理（特定の処理）を行うために、まず遭遇履歴保存処理を行う。なお、遭遇履歴保存処理を始めるにあたり、ユーザーは、キー操作部１２０を操作して自分の知人がもつ携帯電話機の電話番号データ（特定情報）や、その知人に関連するその他の関連情報（名前、メールアドレス等）を、内部メモリ１１２のアドレス帳テーブルに登録しておく。この登録処理の方法は、ユーザーがキー操作部１２０を操作して手入力する方法に限らず、知人がもつ携帯電話機の電話番号データ等をアドレス帳テーブルに登録できる方法であればどのような方法であってもよい。例えば、近距離用無線通信部１４０を用いて知人の携帯電話機と近距離通信を行って入力された知人の携帯電話機の電話番号データ等の各種情報をアドレス帳テーブルに登録する方法や、無線通信部１１３を用いて受信した知人の携帯電話機の電話番号データ等の各種情報をアドレス帳テーブルに登録する方法などであってもよい。これらの方法の場合、近距離用無線通信部１４０又は無線通信部１１３が入力手段１０４として機能する。
また、上記携帯電話機１０において、遭遇履歴保存処理を行うか否かは、ユーザー操作に基づいて決定される。すなわち、ユーザーがキー操作部１２０に対して所定のキー操作を行うことにより、遭遇履歴保存処理を行う動作モードが設定された場合には、その後に遭遇履歴保存処理を行わない動作モードに設定変更されるまで、遭遇履歴保存処理を行う。
【００１８】
図１は、本動作例１における遭遇履歴保存処理の流れを示すフローチャートである。
図４は、本動作例１における遭遇履歴保存処理の通信シーケンスを示すシーケンスフロー図である。
本携帯電話機１０が遭遇履歴保存処理を行う動作モードが設定されている場合、まず、本携帯電話機１０は、問い合わせブロードキャスト処理を行う（Ｓ１）。具体的には、制御部１１１は、近距離用無線通信部１４０と協働して応答要求送信手段として機能し、近距離用無線通信部１４０からＩＱパケット（応答要求）を間欠的に送信する。そして、制御部１１１は、近距離用無線通信部１４０と協働して応答受信手段として機能し、他の携帯電話機から送信されてくるＩＱパケットに対するＦＨＳパケット（応答）を待つ。ここで、本携帯電話機１０と同様のＢｌｕｅｔｏｏｔｈの近距離無線通信方式を採用する近距離通信手段を備えた他の携帯電話機が、本携帯電話機１０の近距離通信手段１０３の通信可能範囲に入った場合、他の携帯電話機は、問い合わせスキャン処理を行って上記ＩＱパケットを受信することになる。そして、他の携帯電話機は、受信したＩＱパケットに対する応答としてＦＨＳパケットを送信する問い合わせ応答処理を行う。このＦＨＳパケットを本携帯電話機１０で受信すると（Ｓ２）、本携帯電話機１０は、このＦＨＳパケットの送信元である他の携帯電話機との間の通信リンク（ピコネット）を確立させる呼び出し処理を行う。具体的には、本携帯電話機１０は、上記他の携帯電話機に対してＩＤパケットを送信し、その応答として他の携帯電話機から送信される同一のＩＤパケットを受信する。このＩＤパケットを受信した本携帯電話機１０は、ＦＨＳパケットを送信し、これが上記他の携帯電話機に受信されると、この受信確認として他の携帯電話機からＩＤパケットが送信され、これが本携帯電話機１０に受信される。以上の処理により、本携帯電話機１０と上記他の携帯電話機との間のピコネット内同期がとられ、通信リンクが確立し（Ｓ３）、これらの間でデータ通信可能な状態になる。
【００１９】
このようにして、本携帯電話機１０の近距離通信手段１０３の通信可能範囲に入った他の携帯電話機と通信リンクが確立したら、本携帯電話機１０の制御部１１１は、近距離用無線通信部１４０と協働して取得要求送信手段として機能し、近距離用無線通信部１４０から電話番号取得要求を上記他の携帯電話機に対して送信する。この電話番号取得要求を受信した他の携帯電話機は、その応答として自己の電話番号データ（特定情報）を本携帯電話機１０に向けて送信する。本携帯電話機１０の制御部１１１は、近距離用無線通信部１４０と協働して特定情報受信手段として機能し、この電話番号データを受信する。これにより、本携帯電話機１０は、近距離通信手段１０３の通信可能範囲に入った他の携帯電話機の電話番号データを取得することができる（Ｓ４）。
【００２０】
上記他の携帯電話機の電話番号データを取得した本携帯電話機１０の制御部１１１は、次に、その電話番号データが、内部メモリ１１２内のアドレス帳テーブルに登録されているか否かを判断する（Ｓ５）。この判断において、アドレス帳テーブルに登録されていないと判断された場合、制御部１１１は、上記他の携帯電話機との間の通信リンクを維持したまま、更に別の携帯電話機を探すために、問い合わせブロードキャスト処理を行う（Ｓ１）。一方、上記Ｓ１〜上記Ｓ５の処理を繰り返し行って、アドレス帳テーブルに登録されている電話番号データを取得したら、本携帯電話機１０の制御部１１１は、時計部１２５から日時データを取得する（Ｓ６）。そして、制御部１１１は、取得した日時データを開始時刻データとして上記電話番号データに関連づけ、遭遇履歴テーブルに登録する（Ｓ７）。この日時データは、電話番号データの保存時刻を示すものであるが、電話番号データの受信時刻を示すものであってもよい。
【００２１】
遭遇履歴テーブルへ日時データを登録したら、次に、制御部１１１は、近距離用無線通信部１４０と協働して判断手段として機能し、遭遇履歴テーブルに登録された電話番号データの送信元である他の携帯電話機が、本携帯電話機１０の近距離通信手段１０３の通信可能範囲外へ移動したか否かの判断を行う（Ｓ８）。具体的に説明すると、本携帯電話機１０の制御部１１１は、上述した呼び出し処理を終えると、図４に示すようにリンク監視タイマーをスタートさせる。このタイマーは、リンク先の他の携帯電話機からデータを受信するたびにリセットされる。通信リンクは、本携帯電話機１０が他の携帯電話機から定期的に送信される存在確認通知を受信している間は維持されるが、他の携帯電話機が本携帯電話機１０の通信可能範囲外へ移動すると、本携帯電話機１０で存在確認通知を受信できなくなる。これにより、リンク監視タイマーのカウント値が所定時間を越えたとき、本携帯電話機１０の制御部１１１は、上記他の携帯電話機が通信可能範囲外へ移動したものと判断して、通信リンクを切断する処理を行う（Ｓ９）。そして、制御部１１１は、時計部１２５から日時データを取得し（Ｓ１０）、この日時データを終了時刻データとして上記電話番号データに関連づけ、遭遇履歴テーブルに登録する（Ｓ１１）。
【００２２】
下記の表１に、遭遇履歴テーブルの一例を示す。この例は、図５に示すようなシチュエーションにおいて記録されたものである。このシチュエーションは、次の通りである。本携帯電話機１０のユーザー（会社員）が、同僚のＡ氏と立ち話をしているとき（１０時３３分）、一緒に昼食に行くということになった。せっかくなので、同期のＢ氏も誘うことにし、電話でＢさんと一緒に昼食をとる約束をし、エレベータの下で待ち合わせることになった。ユーザーが待ち合わせ場所に行くと、Ａ氏に続いて（１１時５２分）、Ｂ氏が少し遅れてやってきた（１１時５５分）。そして、少し歩いておいしいと評判の定食屋で昼食をとった。その帰り道、３人で歩いていると、課長のＣ氏とばったり出くわし（１２時４０分）、４人で一緒に会社まで帰った。Ｃ氏はすぐに自分の机に戻ったが（１２時４６分）、残りの３人は喫煙ルームでタバコを１本吸うことにした。タバコを吸ってからは別のフロアが職場のＢ氏とはすぐに別れたが（１２時５２分）、ユーザーは仕事の話を思い出し、自分の机のところでＡ氏と１０分くらい話をして、それから各自仕事に戻った（１３時５分）。
【表１】
2006135715.tif 000003
【００２３】
本実施形態では、制御部１１１は、開始時刻から終了時刻までの遭遇時間（関連情報）を算出し、その遭遇時間もあわせて遭遇履歴テーブルに登録している。また、制御部１１１は、上記電話番号データに対応する知人の名前データ（関連情報）をアドレス帳テーブルから読み出し、これも遭遇履歴テーブルに登録している。なお、本実施形態では、遭遇履歴テーブルに電話番号データも登録し、これに関連づけて開始時刻データ等を登録しているが、開始時刻データ等が電話番号データに関連づけられていれば、必ずしも電話番号データを遭遇履歴テーブルに登録する必要はない。したがって、下記の表２に示すような遭遇履歴テーブルであってもよい。この場合、遭遇履歴テーブルに登録される開始時刻データ等は、名前データを介してアドレス帳テーブルに登録されている電話番号データと関連づけられている。
【表２】
2006135715.tif 000004
【００２４】
次に、上記遭遇履歴テーブルを用いたリスト表示処理について説明する。
図６は、リスト表示処理の流れを示すフローチャートである。
本携帯電話機１０のユーザーが、キー操作部１２０に対してリスト表示を行うための所定のキー操作を行うと、制御部１１１は、内部メモリ１１２から本日の遭遇履歴テーブルを読み出す（Ｓ２１）。そして、制御部１１１は、読み出した遭遇履歴テーブルに基づく遭遇履歴リストを液晶ディスプレイに表示させるための命令を画像処理部１１８に出力する（Ｓ２２）。この命令を受けた画像処理部１１８は、表示部１１９の液晶ディスプレイに、上記表１や上記表２に示したような遭遇履歴テーブルの画像を表示させる描画処理を行う（Ｓ２３）。これにより、この遭遇履歴リストを見たユーザーは、本日に、何時に誰と出会ったかを知ることができる。
なお、遭遇履歴リストに登録された情報のほか、アドレス帳テーブルを参照してこれに登録された情報もあわせて遭遇履歴リストに表示してもよい。
【００２５】
なお、本動作例１では、本携帯電話機１０がマスターとして動作し、他の携帯電話機がスレーブとして動作する場合について説明したが、その逆であってもよい。この場合の遭遇履歴保存処理の流れは、図７に示すものとなる。すなわち、スレーブとして動作する本携帯電話機１０は、問い合わせスキャン処理を行い（Ｓ３１）、マスターとして動作する他の携帯電話機が行う問い合わせブロードキャスト処理によるＩＱパケットを待つ。ここで、本携帯電話機１０と同様のＢｌｕｅｔｏｏｔｈの近距離無線通信方式を採用する近距離通信手段を備えた他の携帯電話機が、本携帯電話機１０の近距離通信手段１０３の通信可能範囲に入った場合、本携帯電話機１０は、他の携帯電話機からのＩＱパケットを受信することになる（Ｓ３２）。そして、本携帯電話機１０は、受信したＩＱパケットに対する応答としてＦＨＳパケットを送信する問い合わせ応答処理を行う。このＦＨＳパケットが上記他の携帯電話機で受信されると、他の携帯電話機は、このＦＨＳパケットの送信元である本携帯電話機１０との間の通信リンク（ピコネット）を確立させる呼び出し処理を行い、本携帯電話機１０と上記他の携帯電話機との間のピコネット内同期がとられ、通信リンクが確立する（Ｓ３）。以後の処理については、上述の処理と同様である。
また、本動作例１では、開始時刻データと終了時刻データの両方を遭遇履歴テーブルに登録する合について説明したが、いずれか一方の時刻データだけ登録するようにしてもよい。
【００２６】
以上、本動作例１によれば、一日の終わりにユーザーが本携帯電話機１０のキー操作部１２０に対して所定のキー操作を行い、リスト表示処理を実行させることで、今日何時に誰と出会ったかをユーザーは知ることができる。
【００２７】
〔動作例２〕
次に、遭遇履歴保存処理及びこれにより得た遭遇履歴テーブルを用いた処理の他の例（以下、本例を「動作例２」という。）について説明する。
本動作例２では、本携帯電話機１０のユーザーが知人と出会ったときの時刻だけでなく、そのときの会話も録音する。
図８は、本動作例２における遭遇履歴保存処理の流れを示すフローチャートである。
本携帯電話機１０において、上記動作例１の場合と同様に、本携帯電話機１０と同様のＢｌｕｅｔｏｏｔｈの近距離無線通信方式を採用する近距離通信手段を備えた知人の携帯電話機が本携帯電話機１０の近距離通信手段１０３の通信可能範囲に入った場合、その知人の携帯電話機との間の通信リンク（ピコネット）を確立する（Ｓ１〜Ｓ３）。そして、本携帯電話機１０の制御部１１１は、上記動作例１の場合と同様に、その知人の携帯電話機の電話番号データを取得し（Ｓ４）、その電話番号データが内部メモリ１１２内のアドレス帳テーブルに登録されているか否かを判断する（Ｓ５）。
【００２８】
この判断において、アドレス帳テーブルに登録されていると判断した場合、制御部１１１は、上記動作例１の場合と同様に、時計部１２５から日時データを取得し（Ｓ６）、これを開始時刻データとして上記電話番号データに関連づけ、遭遇履歴テーブルに登録する（Ｓ７）。更に、本動作例２では、アドレス帳テーブルに登録されていると判断した場合、制御部１１１は、録音を開始する（Ｓ４１）。具体的には、制御部１１１は、音処理部１１５に対して録音命令を出力する。これにより、音処理部１１５は、マイク１１６から入力される音を所定方式で符号化した音データを制御部１１１へ出力する。制御部１１１は、この音データを内部メモリ１１２内に順次保存する。
【００２９】
その後、制御部１１１は、上記動作例１の場合と同様に、遭遇履歴テーブルに登録された電話番号データの送信元である知人の携帯電話機が、本携帯電話機１０の近距離通信手段１０３の通信可能範囲外へ移動したか否かの判断を行う（Ｓ８）。そして、その知人の携帯電話機が通信可能範囲外へ移動したものと判断したら、上記動作例１の場合と同様に、通信リンクを切断する処理を行うとともに（Ｓ９）、時計部１２５から日時データを取得し（Ｓ１０）、この日時データを終了時刻データとして上記電話番号データに関連づけ、遭遇履歴テーブルに登録する（Ｓ１１）。更に、本動作例２では、知人の携帯電話機が本携帯電話機１０の近距離通信手段１０３の通信可能範囲外へ移動したと判断した場合、制御部１１１は、録音を停止する（Ｓ４２）。具体的には、制御部１１１は、音処理部１１５に対して録音停止命令を出力する。これにより、音処理部１１５は制御部１１１への音データの出力を停止する。そして、制御部１１１は、内部メモリ１１２内に録音した音データをデータファイル（録音ファイル）として格納する処理を行うとともに、その格納場所を示すアドレス情報を上記電話番号データに関連づけて、遭遇履歴テーブルに登録する（Ｓ４３）。
【００３０】
下記の表３に、本動作例２における遭遇履歴テーブルの一例を示す。この遭遇履歴テーブルは、
上記動作例１で説明したシチュエーションと同じシチュエーションを想定したものであって、上記動作例１における表２に示した遭遇履歴テーブルに、録音ファイルのアドレス情報の項目を付加したものである。なお、下記の表３に示す例では、Ａ氏、Ｂ氏、Ｃ氏にそれぞれ出会った時間帯に互いに重複した部分が存在するため、その重複した部分については、同じ録音ファイル（con_A_200311211152.mp3）が関連づけられている。
【表３】
2006135715.tif 000005
【００３１】
次に、上記遭遇履歴テーブルを用いた録音ファイル再生処理について説明する。
図９は、録音ファイル再生処理の流れを示すフローチャートである。
本動作例２における録音ファイル再生処理では、まず、上記動作例１の場合と同様に、リスト表示処理を行う（Ｓ２１〜Ｓ２３）。これにより、表示部１１９の液晶ディスプレイには、上記表３に示したような遭遇履歴テーブルの画像を表示される。ただし、表示される画像中、録音ファイルのファイル名画像部分（以下、「リンク画像」という。）には、それぞれ対応する録音ファイルのアドレス情報がリンク情報として埋め込まれている。よって、ユーザーは、この遭遇履歴リストを見ることで、今日いつだれと出会ったかを知ることができるとともに、キー操作部１２０を操作してその遭遇履歴リストのリンク画像を選択することで、その出会った人との会話を聴くことができる。
【００３２】
具体的には、この遭遇履歴リストを見たユーザーがキー操作部１２０に対して所定のキー操作を行い、その遭遇履歴リストのリンク画像が選択されると（Ｓ５１）、その操作信号が制御部１１１に入力される。これを受けて、制御部１１１は、録音ファイルを再生するための再生用アプリケーションプログラムを起動する（Ｓ５２）。そして、再生用アプリケーションプログラムを実行する制御部１１１は、選択されたリンク画像に埋め込まれたアドレス情報により特定される場所に格納された録音ファイルを内部メモリ１１２から読み出す（Ｓ５３）。また、制御部１１１は、選択されたリンク画像に対応する開始時刻データ及び終了時刻データを読み出し、その開始時刻データが示す時刻に対応する箇所を再生開始箇所として特定し、かつ、その終了時刻データが示す時刻に対応する箇所を再生終了箇所として特定する（Ｓ５４）。そして、再生用アプリケーションプログラムを実行する制御部１１１は、読み出した録音ファイルの再生を、上記Ｓ５４で特定した再生開始箇所から開始する（Ｓ５５）。その後、制御部１１１は、録音ファイルの再生が上記Ｓ５４で特定した再生終了箇所まで到達したら（Ｓ５６）、録音ファイルの再生を停止する（Ｓ５７）。なお、ユーザーがキー操作部１２０に対して所定の再生停止操作を行った場合も、制御部１１１は、録音ファイルの再生を停止する。
【００３３】
以上、本動作例２によれば、一日の終わりにユーザーが本携帯電話機１０のキー操作部１２０に対して所定のキー操作を行い、録音ファイル再生処理を実行させることで、今日何時に誰と出会ったかをユーザーは知ることができるとともに、その出会ったときの会話を聴くこともできる。
【００３４】
なお、本動作例２では、開始時刻データ及び終了時刻データが示す時刻に対応する箇所を、対応する録音ファイルの再生開始箇所及び再生終了箇所としてそれぞれ特定するため、知人の携帯電話機が本携帯電話機１０の近距離通信手段１０３の通信可能範囲に入った時点から録音ファイルが再生されることになる。しかし、本実施形態では近距離通信手段１０３としてＢｌｕｅｔｏｏｔｈの電波を用いた近距離無線通信方式のものを採用しているので、その通信可能範囲は半径１０ｍ程度である。よって、知人の携帯電話機が通信可能範囲に入ってから本携帯電話機１０のユーザーと近づいて実際に会話するまでには時間がかかる。そのため、本動作例２のように、開始時刻データに対応する箇所から録音ファイルを再生したのでは、その再生後、実際の会話部分が再生されるまでに時間がかかってしまう。したがって、録音ファイルが再生されてから実際の会話部分が再生されるまでの時間を短くする方策をとるのが望ましい。
この方策としては、例えば、知人の携帯電話機が本携帯電話機１０の近距離通信手段１０３の通信可能範囲よりも近い範囲（例えば半径３ｍ程度）内に入ったことを検知し、その検知時点に相当する箇所から再生を開始するようにしたり、録音ファイルの音データを解析して、会話部分が開始する箇所を特定し、その箇所から再生を開始するようにしたりする。また、他の方策としては、例えば、上記通信可能範囲よりも狭い範囲に知人の携帯電話機が入ったら録音を開始するようにしてもよい。上記通信可能範囲は半径１０ｍ程度の範囲であるが、録音を開始する範囲は３ｍ程度の範囲としてもよい。また、ユーザーが所定の録音開始操作をしたときに、録音を開始するようにしてもよい。この場合、遭遇履歴テーブルに、遭遇履歴テーブルに開始時刻データのみ登録されている電話番号データに関連づけて、その録音開始操作時刻を再生開始箇所を特定するデータとして登録すればよい。
【００３５】
また、本動作例２では、アドレス帳テーブルに電話番号データが登録されている他の携帯電話機が近距離通信手段１０３の通信可能範囲に入ると録音を開始する場合を例に挙げたが、内部メモリ１１２の記憶容量が十分であれば、一日中連続して録音してもよい。この場合でも、上述したように開始時刻データに基づいて特定される再生開始箇所から録音ファイルの再生を開始することで、対応する会話部分を再生することができる。なお、この場合も、実際の会話部分が再生されるまでに時間がかかってしまう欠点があるので、上述した方策をとるようにすることが望ましい。
【００３６】
また、本動作例２では、２以上の知人と出会った時間帯が互いに重複しているときには、同じ録音ファイルを関連づけて、個別に再生開始箇所及び再生終了箇所を特定する場合について説明したが、各時間帯ごとに個別の録音ファイルを生成して保存しておいてもよい。この場合、例えば、重複した時間帯についての録音ファイルの中から、各時間帯に対応する開始時刻データ及び終了時刻データにより特定される再生開始箇所から再生終了箇所までの部分をそれぞれ抽出し、個別ファイルとして保存すればよい。この場合、本動作例２のように録音ファイルを再生する際に再生開始箇所や再生終了箇所を特定してその再生開始箇所から再生し再生終了箇所に達したら再生を終了するという処理は不要となり、再生時の処理の簡略化を図ることができる。
【００３７】
〔動作例３〕
次に、遭遇履歴保存処理の更に他の例（以下、本例を「動作例３」という。）について説明する。
本動作例３では、本携帯電話機１０のユーザーが知人と出会ったときの時刻だけでなく、そのときのＧＰＳ位置情報も保存する。
図１０は、本動作例３における遭遇履歴保存処理の流れを示すフローチャートである。
本携帯電話機１０において、上記動作例１の場合と同様に、本携帯電話機１０と同様のＢｌｕｅｔｏｏｔｈの近距離無線通信方式を採用する近距離通信手段を備えた知人の携帯電話機が本携帯電話機１０の近距離通信手段１０３の通信可能範囲に入った場合、その知人の携帯電話機との間の通信リンク（ピコネット）を確立する（Ｓ１〜Ｓ３）。そして、本携帯電話機１０の制御部１１１は、上記動作例１の場合と同様に、その知人の携帯電話機の電話番号データを取得し（Ｓ４）、その電話番号データが内部メモリ１１２内のアドレス帳テーブルに登録されているか否かを判断する（Ｓ５）。この判断において、アドレス帳テーブルに登録されていると判断した場合、制御部１１１は、上記動作例１の場合と同様に、時計部１２５から日時データを取得する（Ｓ６）。また、本動作例３においては、アドレス帳テーブルに登録されていると判断した制御部１１１は、ＧＰＳ受信部１３０からＧＰＳ位置情報も取得する（Ｓ６１）。そして、取得した日時データを開始時刻データとして上記電話番号データに関連づけ、かつ、取得したＧＰＳ位置情報も上記電話番号データに関連づけて、遭遇履歴テーブルに登録する（Ｓ７）。
【００３８】
その後、本動作例３では、制御部１１１は、一定時間が経過するたびに（Ｓ６２）、ＧＰＳ受信部１３０からＧＰＳ位置情報も取得し（Ｓ６３）、これを上記電話番号データに関連づけて遭遇履歴テーブルに登録する（Ｓ６４）。また、上記動作例１の場合と同様に、遭遇履歴テーブルに登録された電話番号データの送信元である知人の携帯電話機が、本携帯電話機１０の近距離通信手段１０３の通信可能範囲外へ移動したか否かの判断を行う（Ｓ８）。本動作例３では、知人の携帯電話機が通信可能範囲外へ移動したものと判断するまで、上記Ｓ６２〜上記Ｓ６４の処理を繰り返す。そして、知人の携帯電話機が通信可能範囲外へ移動したものと判断したら、制御部１１１は、上記動作例１の場合と同様に、通信リンクを切断する処理を行うとともに（Ｓ９）、時計部１２５から日時データを取得する（Ｓ１０）。また、本動作例３では、ＧＰＳ受信部１３０からＧＰＳ位置情報も取得する（Ｓ６５）。そして、取得した日時データを開始時刻データとして上記電話番号データに関連づけ、かつ、取得したＧＰＳ位置情報も上記電話番号データに関連づけて、遭遇履歴テーブルに登録する（Ｓ１１）。
【００３９】
このようにして得られる遭遇履歴テーブルの一例を下記の表４に示す。なお、説明を簡略化するため、下記の表４には、上記動作例１における表２に示した遭遇履歴テーブルのうち、最初にＡ氏と出会った部分（１０時３３分から１０時３８分までの時間帯）についてのみ示す。また、上記一定時間は１分とする。
【表４】
2006135715.tif 000006
【００４０】
以上、本動作例３によれば、一日の終わりにユーザーが本携帯電話機１０のキー操作部１２０に対して所定のキー操作を行い、リスト表示処理を実行させることで、今日何時に誰と出会ったかをユーザーは知ることができるとともに、その出会ったときの場所を知ることもできる。
【００４１】
なお、本動作例３では、１分ごとに、ＧＰＳ位置情報を取得し、遭遇履歴テーブルに登録する場合について説明したが、アドレス帳テーブルに電話番号データが登録されている知人の携帯電話機が近距離通信手段１０３の通信可能範囲に入ったときと出たときに、ＧＰＳ位置情報を取得して遭遇履歴テーブルに登録するようにしてもよい。
また、本動作例３では、受信した電話番号データが内部メモリ１１２内のアドレス帳テーブルに登録されているか否かを判断してから、通信リンクを切断するまでの期間だけ、ＧＰＳ位置情報を取得して遭遇履歴テーブルに登録する場合について説明したが、内部メモリ１１２の記憶容量が十分であれば、一日中連続してＧＰＳ位置情報を取得して登録してもよい。この場合、一日中ずっとＧＰＳ位置情報を定期的に（例えば１分ごとに）取得し、取得した各ＧＰＳ位置情報をそれぞれの取得時刻を示すデータに関連付けて記憶した位置履歴データベースを作成する。そして、一日の終わりにユーザーが本携帯電話機１０のキー操作部１２０に対して所定のキー操作を行い、リスト表示処理を実行する際に、知人の携帯電話機が本携帯電話機１０の近距離通信手段１０３の通信可能範囲外へ移動したと判断された時刻に対応するＧＰＳ位置情報を上記位置履歴データベースから読み出し、リスト表示すれば、上記動作例３と同様に、今日何時に誰と出会ったかをユーザーは知ることができるとともに、その出会ったときの場所を知ることもできる。
【００４２】
〔動作例４〕
次に、上記動作例１で得た遭遇履歴テーブルを用いた処理の他の例（以下、本例を「動作例４」という。）について説明する。
本動作例４では、一日の終わりに、遭遇時間が長かった知人の順位をランキング表示するランキング表示処理を行う。
図１１は、本動作例４におけるランキング表示処理の流れを示すフローチャートである。
上記動作例１の場合と同様に、遭遇履歴保存処理を行った後、本携帯電話機１０のユーザーがキー操作部１２０に対してランキング表示を行うための所定のキー操作を行うと、制御部１１１は、内部メモリ１１２から本日の遭遇履歴テーブルを読み出す（Ｓ７１）。そして、制御部１１１は、読み出した遭遇履歴テーブルに基づいて、人物ごとに遭遇時間の合計を算出し（Ｓ７２）、遭遇履歴テーブルの中から合計遭遇時間が長い上位３人の知人に関する情報を抽出する（Ｓ７３）。その後、制御部１１１は、抽出した３人について、下記の表５に示すようなランキングリストを液晶ディスプレイに表示させるための命令を画像処理部１１８に出力する（Ｓ７４）。この命令を受けた画像処理部１１８は、表示部１１９の液晶ディスプレイに、ランキングリストの画像を表示させる描画処理を行う（Ｓ７５）。これにより、ユーザーは、今日、合成遭遇時間が長かったのは誰かを知ることができる。下記の表５に示す情報のほかの情報をあわせてランキングリストに表示してもよい。
【表５】
2006135715.tif 000007
【００４３】
〔動作例５〕
次に、上記動作例１で得た遭遇履歴テーブルを用いた処理の他の例（以下、本例を「動作例５」という。）について説明する。
本動作例５では、一日の終わりに、ある時刻に会っていた知人は誰かを出題するクイズを行う。
図１２は、本動作例５におけるクイズ実行処理の流れを示すフローチャートである。
上記動作例１の場合と同様に、遭遇履歴保存処理を行った後、本携帯電話機１０のユーザーがキー操作部１２０に対してクイズを行うための所定のキー操作を行うと、制御部１１１は、クイズを行うためのクイズ用アプリケーションプログラムを起動する（Ｓ８１）。そして、クイズ用アプリケーションプログラムを実行する制御部１１１は、内部メモリ１１２から本日の遭遇履歴テーブルを読み出し（Ｓ８２）、その遭遇履歴テーブルに登録された各開始時刻データを参照して、予め用意されている複数の問題例の中から今回出題する問題を選定する（Ｓ８３）。ここでは、上記動作例１で説明したシチュエーションと同じシチュエーションを想定し、「２００３年１１月２１日の１２時に誰と会っていましたか？」という問題を選定したとする。また、クイズ用アプリケーションプログラムを実行する制御部１１１は、選定した問題の解答（Ａ氏とＢ氏）という解答を遭遇履歴テーブルに基づいて作成するとともに、アドレス帳テーブルの中からランダムに選択した知人の名前を用いて３つの間違いの解答を作成する（Ｓ８４）。その後、制御部１１１は、選定した問題と作成した４つの解答とが表示された図１３に示すような出題画面を、液晶ディスプレイに表示させるための命令を画像処理部１１８に出力する（Ｓ８５）。この命令を受けた画像処理部１１８は、表示部１１９の液晶ディスプレイに、その出題画面を表示させる描画処理を行う。
【００４４】
液晶ディスプレイに表示された出題画面を見たユーザーは、キー操作部１２０に対してキー操作を行うことにより、自分の記憶に頼って正しいと思う解答番号を入力する（Ｓ８６）。制御部１１１は、入力された解答番号が正解か否かを判断し（Ｓ８７）、正解の場合には、例えば「正解です。」という正解メッセージを液晶ディスプレイに表示させる処理を行う（Ｓ８８）。一方、不正解の場合には、例えば「不正解です。」という不正解メッセージと、例えば「正解は、Ａ氏とＢ氏です。」という正解内容を、液晶ディスプレイに表示させる処理を行う（Ｓ８９）。
【００４５】
なお、本動作例５では、クイズの内容として、ある時刻に会っていた知人を当てるものであったが、他のクイズ内容であってもよい。例えば、「２００３年１１月２１日にＢ氏と会っていたのは何時か？」というように、ある知人と会っていた時刻を当てるクイズであってもよい。また、例えば、「２００３年１１月２１日に最も長い時間会った人は誰か？」というように、合計遭遇時間が最も長かった知人を当てるクイズであってもよい。このクイズを行う場合には、上記動作例４で説明したように処理と同様の処理を行って、合計遭遇時間が最も長かった知人を特定すればよい。また、例えば、１ヶ月分の遭遇履歴テーブルを保存しておけば、「今月、Ｂ氏と何回会いましたか？」というように、ある期間内にある知人と会った回数を当てるクイズや、「今月、Ｂ氏と会ったのは何日か？」というように、ある期間内にある知人と会った日にちを当てるクイズであってもよい。また、上記動作例３で説明したように遭遇履歴テーブルにＧＰＳ位置情報が登録されていれば、例えば、「遊園地に一緒に遊びに行った人は誰か？」というように、ある場所に一緒に居た知人を当てるクイズを出すことも可能である。
【００４６】
以上、本実施形態において、移動体通信端末としての携帯電話機１０は、他の移動体通信端末である携帯電話機と通信を行うものであって、他の携帯電話機又はこの利用者を特定するための特定情報である電話番号データを記憶可能な記憶手段と、他の携帯電話機との間で近距離通信を行うことにより、該他の移動体通信端末から上記電話番号データを受信可能な特定情報受信手段と、を具備している。そして、上記記憶手段は、該特定情報受信手段により受信された電話番号データが記憶されているときに、所定時刻を示す時刻データを含む日時データをその電話番号データに関連づけて記憶する。より詳しくは、本実施形態の携帯電話機１０は、他の移動体通信端末である携帯電話機又はこれを利用するユーザーを特定するための特定情報である電話番号データを入力するためのキー操作部１２０等からなる入力手段と、入力手段により入力された電話番号データを記憶可能な内部メモリ１１２等からなる記憶手段と、他の携帯電話機との間で近距離通信を行うための近距離用無線通信部１４０等からなる近距離通信手段と、上記近距離通信手段を介して送信されてくる電話番号データを受信する制御部１１１からなる特定情報受信手段と、特定情報受信手段が受信した電話番号データが上記記憶手段に記憶されているか否かを判断し、その電話番号データが記憶されていると判断することを条件に、所定時刻を示す時刻データを含む日時データを電話番号データに関連づけて記憶手段に保存する制御部１１１からなる制御手段とを備えている。上記日時データは、上記電話番号データを特定情報受信手段が受信した日時、又は、上記電話番号データを制御手段が保存する日時を示すもの（開始時刻データ）を含んでいる。これにより、本携帯電話機１０のユーザーの知人が何時ごろから近くに居たのかを記録することができる。その結果、例えば、上述したように、制御手段は、上記記憶手段に記憶されている日時データを用いて、上記リスト表示処理、上記録音ファイル再生処理、上記ランキング表示処理、上記クイズ実行処理等の今までにない新規なアプリケーションを提供することができる。なお、特定情報は、電話番号データ以外であってもよい。
【００４７】
また、本実施形態の携帯電話機１０は、上記特定情報受信手段が上記電話番号データを受信した後に、上記他の携帯電話機が所定範囲外へ移動したか否かの判断を行うための制御部１１１からなる判断手段を有しており、上記制御手段が、上記条件を満たす場合、他の携帯電話機が所定範囲外へ移動したと該判断手段が判断したときには、上記開始時刻データに代えて又は上記開始時刻データとともに、その判断時刻を示す時刻データを含む日時データ（終了時刻データ）を、上記電話番号データに関連づけて上記記憶手段に保存するものである。これにより、本携帯電話機１０のユーザーの知人が何時ごろまで近くに居たのかを記録することができる。
特に、本実施形態によれば、上記所定範囲が上記近距離通信手段の通信可能範囲であるので、上記他の携帯電話機が通信可能範囲外へ移動したか否かの判断が容易となる。
【００４８】
また、本実施形態の携帯電話機１０は、上記近距離通信手段を介して応答要求を上記他の携帯電話機に向けて間欠的に送信する応答要求送信手段と、他の携帯電話機から送信される応答要求に対する応答を上記近距離通信手段を介して受信する応答受信手段と、応答受信手段が応答を受信したら、他の携帯電話機に向けて、上記電話番号データを取得するための特定情報取得要求を上記近距離通信手段を介して送信する取得要求送信手段とを有する。これにより、上記他の携帯電話機が、上記応答要求を受信すると応答を返すような処理を行うものであり、かつ、上記特定情報取得要求を受信すると自己の電話番号データを返すような処理を行うものであれば、Ｂｌｕｅｔｏｏｔｈ等の電波を用いた既存の近距離無線通信方式を用いて、本携帯電話機１０の近くに存在する他の携帯電話機から、その携帯電話機の電話番号データを取得できる。
また、上述したように、本携帯電話機１０が、上記他の携帯電話機から送信される応答要求を上記近距離通信手段を介して受信する応答要求受信手段と、この応答要求に対する応答を上記近距離通信手段を介して他の携帯電話機に向けて送信する応答送信手段とを有するものであっても、Ｂｌｕｅｔｏｏｔｈ等の電波を用いた既存の近距離無線通信方式を用いて、本携帯電話機１０の近くに存在する他の携帯電話機から、その携帯電話機の電話番号データを取得できる。
【００４９】
また、本実施形態の携帯電話機１０は、情報を利用者に報知する表示部１１９等からなる情報報知手段を有し、制御手段は、上記日時データとともに、これに関連づけられた上記電話番号データを情報報知手段により報知するための処理を行う。これにより、本携帯電話機１０のユーザーは、知人が何時ごろ近くに居たのかを後で知ることができる。なお、情報報知手段は、上述した表示部１１９等のようにユーザーの視覚を通じて情報を報知するものに限らず、音出力手段のようなユーザーの聴覚を通じて情報を報知するものや、バイブレータのようなユーザーの触覚を通じて情報を報知するものであってもよい。
【００５０】
また、本実施形態の携帯電話機１０は、情報を利用者に報知する表示部１１９等からなる情報報知手段を有しており、本実施形態では、上記記憶手段が、上記他の携帯電話機又はこれを利用するユーザーに関連する上記電話番号データ以外の関連情報（名前、遭遇時間など）を、この電話番号データに関連づけた状態で記憶可能なものであり、制御手段は、上記日時データとともに、これに対応する電話番号データに関連付けられた関連情報を情報報知手段により報知するための処理を行う。これにより、本携帯電話機１０のユーザーは、知人が何時ごろ近くに居たのかを知ることができるほか、その関連情報についても知ることができる。なお、情報報知手段は、上述した表示部１１９等のようにユーザーの視覚を通じて情報を報知するものに限らず、音出力手段のようなユーザーの聴覚を通じて情報を報知するものや、バイブレータのようなユーザーの触覚を通じて情報を報知するものであってもよい。
【００５１】
また、本実施形態の携帯電話機１０は、音処理部１１５等からなる録音手段を有しており、本実施形態では、上記制御手段は、上記特定情報受信手段が上記電話番号データを受信した後の音を録音手段により録音して得た音データも、その電話番号データに関連づけて上記記憶手段に保存する。これにより、上記動作例２で説明したように、本携帯電話機１０のユーザーの知人との会話を後で聴くことが可能となる。
【００５２】
また、本実施形態の携帯電話機１０は、本携帯電話機１０の位置を検知するためのＧＰＳ受信部１３０等からなる位置検知手段を有しており、本実施形態では、上記制御手段は、位置検知手段が検知した位置データも、上記電話番号データに関連づけて上記記憶手段に保存する。これにより、上記動作例３で説明したように、本携帯電話機１０のユーザーが知人と近くに居たときの場所を後で知ることが可能となる。
【００５３】
なお、本実施形態では、日付データと時刻データとを含む日時データを保存し、これを用いて各種処理を行う場合について説明したが、日付データを必要としない処理を行う場合には、時刻データのみを保存するようにしてもよい。
また、本発明は、上述した携帯電話機１０に限らず、近距離通信が可能な他の移動体通信端末に対しても有用である。
【図面の簡単な説明】
【００５４】
【図１】実施形態に係る携帯電話機の動作例１における遭遇履歴保存処理の流れを示すフローチャート。
【図２】同携帯電話機のハードウェア構成の一例を示すブロック図。
【図３】同携帯電話機の主要部を構成する各手段の関係を示す機能ブロック図。
【図４】動作例１における遭遇履歴保存処理の通信シーケンスを示すシーケンスフロー図。
【図５】動作例１におけるシチュエーション例を示す説明図。
【図６】動作例１におけるリスト表示処理の流れを示すフローチャート。
【図７】遭遇履歴保存処理の他の例を示すフローチャート。
【図８】動作例２における遭遇履歴保存処理の流れを示すフローチャート。
【図９】動作例２における録音ファイル再生処理の流れを示すフローチャート。
【図１０】動作例３における遭遇履歴保存処理の流れを示すフローチャート。
【図１１】動作例４におけるランキング表示処理の流れを示すフローチャート。
【図１２】動作例５におけるクイズ実行処理の流れを示すフローチャート。
【図１３】動作例５で液晶ディスプレイに表示される出題画面の説明図。
【符号の説明】
【００５５】
１０  携帯電話機
１１１  制御部
１１２  内部メモリ
１１５  音処理部
１１８  画像処理部
１１９  表示部
１２０  キー操作部
１２５  時計部
１３０  ＧＰＳ受信部
１４０  近距離用無線通信部
【図１】
2006135715.tif 000008
【図２】
2006135715.tif 000009
【図３】
2006135715.tif 000010
【図４】
2006135715.tif 000011
【図５】
2006135715.tif 000012
【図６】
2006135715.tif 000013
【図７】
2006135715.tif 000014
【図８】
2006135715.tif 000015
【図９】
2006135715.tif 000016
【図１０】
2006135715.tif 000017
【図１１】
2006135715.tif 000018
【図１２】
2006135715.tif 000019
【図１３】
2006135715.tif 000020